(57)【特許請求の範囲】
【請求項１】
燃焼装置からの燃焼排ガスからダストを除去する屋外設置型の電気集塵機と、前記燃焼装置の排気口と前記電気集塵機の排煙入り口とを連通接続する電気集塵機入口ダクトと、前記電気集塵機の排気口に接続する電気集塵機出口ダクトとを設け、前記電気集塵機と前記電気集塵機入口ダクトと前記電気集塵機出口ダクトの内の少なくともいずれか１つの天井部を、防水性のある無発泡で且つ無溶剤型のポリウレタンゴムの吹付け層で覆ってある屋外電気集塵設備の防水構造であって、
前記電気集塵機と前記電気集塵機入口ダクトと前記電気集塵機出口ダクトは、夫々の本体の外側に断熱材層を設けてあり、その断熱材層の外側を金属保護板で覆ってあり、
前記本体に下端部を取り付けて前記金属保護板を貫通する突出物に対して、前記突出物の周部と前記金属保護板との隙間を塞いで前記金属保護板に取り付けてある塞ぎ板を設けてあり、
前記塞ぎ板と前記突出物とに亘って塗布してある樹脂コーキング材を設けてあり、
前記ポリウレタンゴムの吹付層は、前記樹脂コーキング材及び前記金属保護板を覆っている屋外電気集塵設備の防水構造。
【請求項２】
前記ポリウレタンゴムの吹付け層と前記金属保護板との間には、２液エポキシ変成ウレタンプライマーのプライマー塗布層を設けてある請求項１に記載の屋外電気集塵設備の防水構造。
【請求項３】
前記ポリウレタンゴムの吹付け層は、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するものである請求項１または２に記載の屋外電気集塵設備の防水構造。
【請求項４】
前記ポリウレタンゴムの吹付け層の外表面をアクリルウレタンからなる紫外線防止保護層で覆ってある請求項１〜３のいずれかに記載の屋外電気集塵設備の防水構造。
【発明の詳細な説明】
【技術分野】
【０００１】
本発明は、燃焼装置からの燃焼排ガスからダストを除去する屋外設置型の電気集塵機と、前記燃焼装置の排気口と前記電気集塵機の排煙入り口とを連通接続する電気集塵機入口ダクトと、前記電気集塵機の排気口に接続する電気集塵機出口ダクトとを設けてある屋外電気集塵設備の防水構造に関する。
【背景技術】
【０００２】
従来、上記屋外電気集塵設備は、雨水などの漏水が発生したときには、その漏水箇所のみシリコンコーキングを施したり、あるいは、前記電気集塵機と前記電気集塵機入口ダクトと前記電気集塵機出口ダクトの天井部に樹脂塗料を塗布するだけであった（周知であり適切な文献が見当たらない）。
【発明の概要】
【発明が解決しようとする課題】
【０００３】
しかし、上記シリコンコーキングや樹脂塗装を施した防水構造では、長期に亘る防水機能を維持することは困難であった。
【０００４】
従って、本発明の目的は、上記問題点を解消し、長期に亘る防水機能を発揮できるようにするところにある。
【課題を解決するための手段】
【０００５】
本発明の第１の特徴構成は、燃焼装置からの燃焼排ガスからダストを除去する屋外設置型の電気集塵機と、前記燃焼装置の排気口と前記電気集塵機の排煙入り口とを連通接続する電気集塵機入口ダクトと、前記電気集塵機の排気口に接続する電気集塵機出口ダクトとを設け、前記電気集塵機と前記電気集塵機入口ダクトと前記電気集塵機出口ダクトの内の少なくともいずれか１つの天井部を、防水性のある無発泡で且つ無溶剤型のポリウレタンゴムの吹付け層で覆ってある屋外電気集塵設備の防水構造であって、前記電気集塵機と前記電気集塵機入口ダクトと前記電気集塵機出口ダクトは、夫々の本体の外側に断熱材層を設けてあり、その断熱材層の外側を金属保護板で覆ってあり、前記本体に下端部を取り付けて前記金属保護板を貫通する突出物に対して、前記突出物の周部と前記金属保護板との隙間を塞いで前記金属保護板に取り付けてある塞ぎ板を設けてあり、前記塞ぎ板と前記突出物とに亘って塗布してある樹脂コーキング材を設けてあり、前記ポリウレタンゴムの吹付層は、前記樹脂コーキング材及び前記金属保護板を覆っているところにある。
【０００６】
本発明の第１の特徴構成によれば、屋外設置型の前記電気集塵機、前記電気集塵機入口ダクト、前記電気集塵機出口ダクト等の天井部には、点検やメンテナンスのために作業員が歩行するための歩廊などを支持するための支柱などが、夫々の本体から上方に突設してあったり、その他の装置が取り付けてあったりして防水処理が一般的には困難であるが、防水性のある無発泡で且つ無溶剤型のポリウレタンゴムの吹付け層で覆うことにより、凹凸した天井部上に、簡単に厚い防水層を形成できる。
しかも、防水性のある無発泡で且つ無溶剤型のポリウレタンゴムの吹付け層は、天井部より上方に突出した突出物に対して、短時間で硬化してその硬化反応に伴う収縮により突出物の周部を締め付けた状態で硬化し、そのために、突出物に対してポリウレタンゴムの吹付け層が密接して、防水性は高く確保される。
金属保護板を貫通する突出物に対して、突出物の周部と金属保護板との隙間を塞ぎ板により塞いであることで、樹脂コーキングが載りやすく、隙間を詰めやすくでき、しかも、樹脂コーキング材及び前記金属保護板を覆う状態に吹付塗装するポリウレタンゴムにより、更に突出物周りの防水を高く実現できる。
【０００７】
本発明の第２の特徴構成は、前記ポリウレタンゴムの吹付け層と前記金属保護板との間には、２液エポキシ変成ウレタンプライマーのプライマー塗布層を設けたものである。
【０００８】
本発明の第２の特徴構成によれば、２液エポキシ変成ウレタンプライマーのプライマー塗布層により、金属保護板とポリウレタンゴムの吹付け層との接着性を向上させることができ、そのために、長期に亘って、ポリウレタンゴムによる防水性を維持できる。
【０００９】
本発明の第３の特徴構成は、前記ポリウレタンゴムの吹付け層は、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するところにある。
【００１０】
本発明の第３の特徴構成によれば、ポリウレタンゴムの吹付け層は、２液硬化型ポリウレタンゴムエラストマーにより、弾性の高い断熱層を簡単に形成できる。その上、引っ張り強さ１０Ｎ/ｍｍ2以上、引裂き強さ５０Ｎ/ｍｍ以上、伸び率２００％以上のポリウレタンゴムの使用により、天井部が一般的に鉄材により形成される場合でも、その温度変化に伴う伸縮に十分追随できる。
また、ゲル化時間２０秒以内の物性を有するために、吹き付け後短時間で硬化して縦方向の吹き付け面や凹凸面に対しても垂れ難くて、均一で安定した厚さの大きい被覆層が形成できる。
【００１１】
本発明の第４の特徴構成は、前記ポリウレタンゴムの吹付け層の外表面をアクリルウレタンからなる紫外線防止保護層で覆ったところにある。
【００１２】
本発明の第４の特徴構成によれば、ポリウレタンゴムの吹付け層の紫外線による劣化を
防止でき、長期に亘るポリウレタンゴムの特性を維持できる。
【００１３】
【００１４】
【図面の簡単な説明】
【００１５】
【図１】電気集塵機の全体斜視図である。
【図２】要部の縦断面図である。
【図３】支柱の防水準備のための作用説明図で、（ａ）は塞ぎ板取り付け前、（ｂ）は塞ぎ板取り付け後の斜視図である。
【図４】要部縦断面図で、（ａ）は覆い部材を覆う前、（ｂ）は覆い部材を覆った直後、（ｃ）は覆い部材を覆って仕上げた状態を示す。
【発明を実施するための形態】
【００１６】
以下に本発明の実施の形態を図面に基づいて説明する。
図１に示すように、燃焼装置からの燃焼排ガスからダストを除去する屋外設置型の電気集塵機１に、燃焼装置の排気口と前記電気集塵機１の排煙入り口とを連通接続する電気集塵機入口ダクト２と、電気集塵機１の排気口に接続する電気集塵機出口ダクト３とを設けて、屋外電気集塵設備を構成してある。
【００１７】
電気集塵機１と電気集塵機入口ダクト２と電気集塵機出口ダクト３夫々の天井部４上には、点検やメンテナンスのために作業員が歩行するための歩廊などを支持するための支柱５や、ファン、ケーブルダクト、碍子室、配管などが上方に突出した状態で設置しており、それらの突出物６と天井部４との間からダクトや集塵機内部に雨水が浸入するのを防止するために、防水施工して、電気集塵機１の性能を維持しなければならない。
【００１８】
図２に示すように、前記電気集塵機１と電気集塵機入口ダクト２と電気集塵機出口ダクト３夫々の天井部４は、夫々の本体７の外側に断熱材層８を設け、その断熱材層８の外側を金属保護板９で覆ってある。
前記電気集塵機１と電気集塵機入口ダクト２と電気集塵機出口ダクト３夫々の本体７には、図２及び図３に示すように、特に電気集塵機１において、本体７に下端部を取り付けて金属保護板９を貫通する突出物に対して、突出物の周部と金属保護板９との隙間を塞ぐ塞ぎ板１０を金属保護板９に取り付け（図３（ａ）→（ｂ））、塞ぎ板１０と突出物とに亘って樹脂コーキング材１１を塗布し、樹脂コーキング材１１及び金属保護板９を覆う状態に、ポリウレタンゴム１２を吹付け塗布してある。
【００１９】
また、天井部４の金属保護板９に取り付けてある突出物６の端部と金属保護板９との間に隙間がある場合には、その隙間にバックアップ材を充填して、金属保護板９からバックアップ材の外表面部及び突出物６に亘ってポリウレタンゴム１２を吹付け塗布してもよいが、図４（ａ）、（ｂ）、（ｃ）に示すように、金属保護板９と突出物６との間で相対移動が生じるものの場合には、突出物６全体を非接触状態で覆う箱形の覆い部材１３を、突出物６に被せた後（図４（ａ）→（ｂ））に、その覆い部材１３の周部と、既に金属保護板９上に吹付け塗布したポリウレタンゴム１２とに亘って、更にオーバーラップするようにポリウレタンゴム１２を吹付け塗布する（図４（ｃ））。
尚、前記覆い部材１３を製造するに当たっては、箱形の型枠にポリウレタンゴム１２を吹付け塗装して箱形形状に固化成形し、その固化した覆い部材１３から型枠を除去する。
【００２０】
前記ポリウレタンゴム１２は、無発泡で且つ無溶剤型で、２液硬化型のポリウレタンゴムエラストマーから成り、引っ張り強さ１０Ｎ/ｍｍ2以上、引裂き強さ５０Ｎ/ｍｍ以上、伸び率２００％以上、ゲル化時間２０秒以内の物性を有するものである。
前記ポリウレタンゴム１２の吹付け層の外表面は、アクリルウレタンからなる紫外線防止保護層１４で覆って、ポリウレタンゴム１２の紫外線劣化を防止できるように構成してある。
また、前記ポリウレタンゴム１２の吹付け層と金属保護板９との間には、２液エポキシ変成ウレタンプライマーのプライマー塗布層１５を設けて、ポリウレタンゴム１２の金属保護板９に対する接着性を強化してある。
【００２１】
尚、ポリウレタンゴム１２の吹付け層は、前記屋外電気集塵設備において、少なくとも天井部４上の突出物と金属保護板９との境界部を中心にして突出物周辺部を少なくとも覆うように形成すればよく、望むべくは、各天井部４全面に吹付け形成するのが良い。
【００２２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２３】
１      電気集塵機
２      電気集塵機入口ダクト
３      電気集塵機出口ダクト
６      突出物
７      本体
８      断熱材層
９      金属保護板
１０    塞ぎ板
１１    樹脂コーキング材
１２    ポリウレタンゴム
１４    紫外線防止保護層
１５    プライマー塗布層
【図１】
0005944365.tif 000002
【図２】
0005944365.tif 000003
【図３】
0005944365.tif 000004
【図４】
0005944365.tif 000005